(57)【要約】【課題】  人体への深達力が強い７μｍ〜１５μｍの波長の遠赤外線を効率的に放射する遠赤外線放射器の提供を課題とする。【解決手段】  遠赤外線放射器本体１０には、表面にセラミック層が形成されている遠赤外線放射板１９と、この遠赤外線放射板１９を加熱するヒータ部とが配設されている。商用電源に接続されるプラグ４３と遠赤外線放射器本体１０との間には、コード４１，４２を介してコントローラ３０が接続されている。コントローラには、遠赤外線放射板１９の温度を制御するロータリースイッチ３１と遠赤外線放射板１９の温度を表示する温度表示器３２とが配設されている。【選択図】  図１
0003144979.tif 000002
【実用新案登録請求の範囲】
【請求項１】
ステンレス板の表面にセラミックス層が形成されている遠赤外線放射板が前記セラミッ
クス層が外部に露出するように配設され、当該遠赤外線放射板を加熱するヒータ部を内蔵
し、前記遠赤外線放射板の温度を検出する温度検出手段を具えた遠赤外線放射器本体と、
外部電源と前記ヒータ部との間に配設され前記温度検出手段からの信号に基づいて前記
遠赤外線放射板の温度が使用者により設定される一定の設定温度となるように前記ヒータ
部に供給する電力を制御する制御手段を内蔵したコントローラとから構成され、
前記設定温度が７０℃〜８０℃の範囲で設定され、前記遠赤外線放射板からは７μｍ〜
１５μｍの波長の遠赤外線が外部に向かって放射されることを特徴とする遠赤外線放射器
。
【請求項２】
前記遠赤外線放射板の形状は、略四角形の形状をしており、且つ、その中央部が外部に
向かって最も突出し、当該突出した中央部から４つの辺に向かってなだらかに傾斜してい
る形状となっていることを特徴とする請求項１に記載の遠赤外線放射器。
【請求項３】
ステンレス板の表面にセラミックス層が形成されている遠赤外線放射板が前記セラミッ
クス層が外部に露出するように配設され、当該遠赤外線放射板を加熱するヒータ部を内蔵
し、前記遠赤外線放射板の温度を検出する温度検出手段を具えた遠赤外線放射器本体と、
外部電源と前記ヒータ部との間に配設され前記温度検出手段からの信号に基づいて前記
遠赤外線放射板の温度が使用者により設定される一定の設定温度となるように前記ヒータ
部に供給する電力を制御する制御手段を内蔵したコントローラとから構成され、
前記遠赤外線放射器本体には、前記遠赤外線放射板を覆う遠赤外線放射カバーがさらに
装着され、該遠赤外線放射カバーの前記遠赤外線放射板上に位置する部分にはカーボン層
が形成されており、
前記設定温度が５０℃〜８０℃の範囲で設定され、前記遠赤外線放射カバーの前記カー
ボン層からは７μｍ〜１５μｍの波長の遠赤外線が外部に向かって放射されることを特徴
とする遠赤外線放射器。
【請求項４】
前記遠赤外線放射板の形状は、略四角形の形状をしており、且つ、その中央部が外部に
向かって最も突出し、当該突出した中央部から４つの辺に向かってなだらかに傾斜してい
る形状となっていることを特徴とする請求項３に記載の遠赤外線放射器。
【請求項５】
前記コントローラには、前記温度検出手段からの信号に基づいて前記遠赤外線放射板の
温度を表示する温度表示手段がさらに配設されていることを特徴とする請求項１〜請求項
４のいずれかの項に記載の遠赤外線放射器。
【考案の詳細な説明】
【技術分野】
【０００１】
本考案は、人体に対して遠赤外線を放射する遠赤外線放射器に関するものである。
【背景技術】
【０００２】
従来から、腰痛や肩こり等を起こしている患部に、遠赤外線を照射して温め、その痛み
を緩和させる温熱治療器は広く用いられている。
【０００３】
本願出願人は、長年、このような遠赤外線による温熱治療を実践する過程で、患者が認
知している患部以外の場所に遠赤外線を照射したときに、ある特定の部位に患者自身が痛
烈な熱さを感じることがあるという現象をたびたび経験した。
【０００４】
本願出願人が、この現象を研究した結果、人体を構成する正常な細胞は７μｍ〜１５μ
ｍの波長の遠赤外線を放射しており、ガン細胞等の異常細胞は、遠赤外線を放射しておら
ず、人体への深達力が強い７μｍ〜１５μｍ波長の遠赤外線を人体に照射した場合には、
正常な細胞は共振作用が起こるためその正常細胞の部位には患者はあまり熱さは感じない
が、異常細胞は共振作用が無くてその異常細胞がある部位には患者は痛烈な熱さを感じる
、という知見を得た。従って、人体への深達力が強い７μｍ〜１５μｍの波長の遠赤外線
を患者に照射して、患者が痛烈な熱さを感じる部位があった場合には、その部位を病院等
で精密検査するよう患者に促すようにすることによって、ガン細胞等の疾患の早期発見を
可能とすることができる。
【０００５】
さらに、本願出願人は、加熱することによって遠赤外線を放射する、炭素やセラミック
等の物質においては、その物質固有の特定の温度においてのみ、放射する遠赤外線の波長
の範囲のうちで人体への深達力が強い８μｍ〜１０μｍの波長の遠赤外線が最大輝度とな
る所謂「理想黒体」に最も近い特性の遠赤外線を放射するという知見も得た。
【０００６】
以上の本願出願人の得た知見に基づいて本願考案はなされたものである。
【考案の開示】
【考案が解決しようとする課題】
【０００７】
本考案は、人体への深達力が強い７μｍ〜１５μｍの波長の遠赤外線を効率的に放射す
ることができる遠赤外線放射器の提供を課題とする。
【課題を解決するための手段】
【０００８】
以上の課題を解決するために、本考案の第１の手段は、ステンレス板の表面にセラミッ
クス層が形成されている遠赤外線放射板が前記セラミックス層が外部に露出するように配
設され、当該遠赤外線放射板を加熱するヒータ部を内蔵し、前記遠赤外線放射板の温度を
検出する温度検出手段を具えた遠赤外線放射器本体と、外部電源と前記ヒータ部との間に
配設され前記温度検出手段からの信号に基づいて前記遠赤外線放射板の温度が使用者によ
り設定される一定の設定温度となるように前記ヒータ部に供給する電力を制御する制御手
段を内蔵したコントローラとから構成され、前記設定温度が７０℃〜８０℃の範囲で設定
され、前記遠赤外線放射板からは７μｍ〜１５μｍの波長の遠赤外線が外部に向かって放
射されることを特徴とするものである。ここで前記遠赤外線放射板の形状は、略四角形の
形状をしており、且つ、その中央部が外部に向かって最も突出し、当該突出した中央部か
ら４つの辺に向かってなだらかに傾斜している形状となっていてもよい。
【０００９】
以上の課題を解決するために、本考案の第２の手段は、ステンレス板の表面にセラミッ
クス層が形成されている遠赤外線放射板が前記セラミックス層が外部に露出するように配
設され、当該遠赤外線放射板を加熱するヒータ部を内蔵し、前記遠赤外線放射板の温度を
検出する温度検出手段を具えた遠赤外線放射器本体と、外部電源と前記ヒータ部との間に
配設され前記温度検出手段からの信号に基づいて前記遠赤外線放射板の温度が使用者によ
り設定される一定の設定温度となるように前記ヒータ部に供給する電力を制御する制御手
段を内蔵したコントローラとから構成され、前記遠赤外線放射器本体には、前記遠赤外線
放射板を覆う遠赤外線放射カバーがさらに装着され、該遠赤外線放射カバーの前記遠赤外
線放射板上に位置する部分にはカーボン層が形成されており、前記設定温度が５０℃〜８
０℃の範囲で設定され、前記遠赤外線放射カバーの前記カーボン層からは７μｍ〜１５μ
ｍの波長の遠赤外線が外部に向かって放射されることを特徴とするものである。ここで、
前記遠赤外線放射板の形状は、略四角形の形状をしており、且つ、その中央部が外部に向
かって最も突出し、当該突出した中央部から４つの辺に向かってなだらかに傾斜している
形状となっていてもよい。さらに、上記した本考案の第１，第２の手段において、前記コ
ントローラには、前記温度検出手段からの信号に基づいて前記遠赤外線放射板の温度を表
示する温度表示手段がさらに配設されていてもよい。
【考案の効果】
【００１０】
本考案によれば、人体への深達力が強い７μｍ〜１５μｍの波長の遠赤外線を効率的に
放射する遠赤外線放射器を提供することができる。
【考案を実施するための最良の形態】
【００１１】
以下、図面を用いて本考案の実施例を説明する。
【実施例１】
【００１２】
図１は本考案の実施例１に係る遠赤外線放射器の全体を示す斜視図、図２（ａ）は遠赤
外線放射器を構成する遠赤外線放射器本体を示す一部切欠き拡大平面図、図２（ｂ）は図
２（ａ）のIII‐III線に沿う断面図である。
【００１３】
遠赤外線放射器は遠赤外線放射器本体１０とコントローラ３０とから構成され、これら
は長い接続コード４１によって接続されている。コントローラ３０には一端にプラグ４３
を備えた電源コード４２が接続されている。プラグ４３を商用電源のコンセントに差込む
と、コントローラ３０に商用電源が供給される。
【００１４】
遠赤外線放射器本体１０は細長い把持部１３と把持部１３よりも幅の広い作用部１４と
から構成されている。把持部１３の横断面はほぼ方形で片手で持つことのできる程度の太
さとなっている。作用部１４は平面からみるとその幅よりも長さが少し長い方形で、把持
部１３よりもやや厚い。把持部１３の表面の作用部１４に近い位置および作用部１４の先
端面には放熱孔１６、１７があけられている。
【００１５】
把持部１３と作用部１４のケースは一体に形成されている。このケースは表半体１１と
裏半体１２とから構成されており、ねじ５により互いに固定される。
【００１６】
作用部１４において、表半体１１の表面は把持部１３の表面よりも全体的にやや突出し
、中央部にほぼ方形の大きな開口１８があけられている。この開口１８には遠赤外線放射
板１９が嵌入れられ、開口１８を塞いでいる。遠赤外線放射板１９の内側にヒータ部２０
が設けられている。
【００１７】
遠赤外線放射板１９は図２（ｃ）に拡大して示すように、ステンレス板１９ａをプレス
加工して形成されたものであり、その表面（外面）にセラミック層１９ｂが形成されてい
る。セラミック層１９ｂは加熱されると遠赤外線を放射するセラミック塗料を塗布し、焼
付けることにより形成されている。遠赤外線放射板１９の表面は外方に向って突出した湾
曲面となっている。より詳しく言うと、遠赤外線放射板１９は、略四角形の形状をしてお
り、その表面の中央部が最も突出し、この中央部から４つの辺に向ってなだらかに傾斜し
ている。遠赤外線放射板１９の４辺には高さの低い側面３５が連続し、この側面の縁から
フランジ３６が直角に延びている。遠赤外線放射板１９としてはステンレス板に限らず、
種々の金属板を用いることができる。
【００１８】
ヒータ部２０においては、３つの細長いセラミック・ヒータ２１が間隔をあけて平行に
配置されている。隣接するセラミック・ヒータ２１の間にはサーミスタ２２および温度ヒ
ューズ２３がそれぞれ設けられている。これらのセラミック・ヒータ２１、サーミスタ２
２および温度ヒューズ２３は良好な熱電導性を持つ耐熱性樹脂２５（たとえばエポキン樹
脂）によりモールドされている。セラミック・ヒータ２１の一部はモールド樹脂２５の外
に突出している。遠赤外線放射板１９もまた、モールド樹脂２５によってヒータ部２０と
一体的に結合している。
【００１９】
このような遠赤外線放射板１９とヒータ部２０とはケースの表半体１１の内側から開口
１８に挿入され、遠赤外線放射板１９が開口１８から露出する。遠赤外線放射板１９のフ
ランジ３６と表半体１１の開口１８の周縁部との間には断熱パッキン３７が設けられてい
る。これらの遠赤外線放射板１９とヒータ部２０とは、裏半体１２の両側内側に設けられ
た押え壁４によって表半体１２の方に押し付けられて固定される。
【００２０】
遠赤外線放射器本体１０の内側はほぼ中空であり、この中を後述する電源ラインと信号
ラインとが通っている。
【００２１】
コントローラ３０はその表面に後述する温度設定器５６のロータリースイッチ３１と、
ヒータ部２０と一体化している遠赤外線放射板１９の温度を表示する温度表示器３２とが
設けられている。
【００２２】
図３は温熱治療器の電気的構成を示すものである。
【００２３】
上述したように遠赤外線放射器本体１０内にはセラミック・ヒータ２１、温度検出手段
であるサーミスタ２２および温度ヒューズ２３が設けられている。３つのセラミック・ヒ
ータ２１は互いに並列に電源ラインに接続され、この電源ラインに温度ヒューズ２３が挿
入されている。サーミスタ２２の両端は信号ラインを通してコントローラ３０に接続され
ている。電源ラインおよび信号ラインは接続コード４１内を通っている。
【００２４】
コントローラ３０にはヒューズ５９および電源スイッチ６０を介して電源ケーブル４２
から商用電源が供給される。この電源ラインはそのまま遠赤外線放射器本体１０に接続さ
れている。コントローラ３０内において電源ラインにはトライアック５３および温度検出
表示回路５７が接続されている。トライアック５３はヒータ２１への通電をオン、オフす
るスイッチング素子である。温度表示手段は、温度検出表示回路５７と温度表示器３２と
によって構成されており、温度検出表示回路５７は、サーミスタ２２の出力に基づいてヒ
ータ部２０および遠赤外線放射板１９の温度を検出して、その検出した温度を温度表示器
３２に表示する。
【００２５】
以下、遠赤外線放射器本体１０のヒータ部２０および遠赤外線放射板１９の温度を、ト
ライアック５３用いて制御する制御回路について説明する。
【００２６】
商用電源は直流電源回路５４によって適当な電圧（たとえば８Ｖ）の直流に変換される
。タイマ５５は電源スイッチ６０がオンとされてから１時間の間、基準電圧発生回路５１
に正規の基準電圧を発生させ、１時間が経過したときに基準電圧発生回路５１の出力基準
電圧を強制的に低いレベル（たとえば零Ｖ）にする。これにより、トライアック５３がオ
フとなり、ヒータ２１への通電が停止する。
【００２７】
基準電圧発生回路５１は直流電源電圧を分圧することにより基準電圧を発生する。この
基準電圧は比較回路５２に与えられる。
【００２８】
温度設定器５６はロータリースイッチ３１と、このロータリースイッチ３１の位置に応
じてその抵抗値が変化する可変抵抗器を含んでいる。ロータリースイッチ３１の位置によ
り電源スイッチ６０もオン、オフされる。すなわち、ロータリースイッチ３１は、電源ス
イッチの機能とヒータ部２０の温度設定機能とを果すものである。本実施例１は、ロータ
リースイッチ３１を操作することによって、４５℃〜８０℃の範囲の内から、使用者が所
望する任意の設定温度が選べるように構成されている。
【００２９】
温度設定器５６の可変抵抗器とサーミスタ２２とは信号ラインを介して直列に接続され
、その接続点Ａの電圧が比較回路５２に入力する。比較回路５２の出力によって駆動回路
５８を介してトライアック５３がオン、オフされる。
【００３０】
一般にサーミスタは高温になると抵抗が小さくなる。温度設定器５６の抵抗値を小さく
するようにロータリースイッチ３１を操作することにより、使用者はヒータ部２０の設定
温度を高くすることができる。
【００３１】
遠赤外線放射器本体１０の温度が高くなって（サーミスタ２２の抵抗が小さくなって）
接続点Ａの電圧が基準電圧を超えると、比較回路５２はトライアック５３をオフする出力
を発生する。サーミスタ２２の抵抗が大きくて、接続点Ａの電圧が基準電圧を下廻ってい
るときには、トライアック５３はオンに保たれる。
【００３２】
このように温度制御手段である上述した制御回路によって、ヒータ部２０および遠赤外
線放射板１９の温度が温度設定器５６によって設定された温度になるようにヒータ２１へ
の通電がオン、オフされる。
【００３３】
何らかの原因でヒータ部２０が高温になりすぎたときには（たとえば１２０℃）温度ヒ
ューズ２３が溶断してヒータ２１への通電は停止する。
【００３４】
ヒータ２１に電流が流れると、ヒータ２１は発熱する。ヒータ２１の熱はエポキシ樹脂
２５を通して遠赤外線放射板１９に伝導される。３つのヒータ２１は遠赤外線放射板１９
の裏面に密着したモールド樹脂２５内に均等な間隔をあけて埋め込まれているので、モー
ルド樹脂２５はその全体が均一に加熱される。このため、モールド樹脂２５を通して加熱
される遠赤外線放射板１９もまた、その全体が均一に加熱される。サーミスタ（温度セン
サ）２２もモールド樹脂２５に埋設されているので、モールド樹脂２５の温度が正確に測
定され、精度の高い温度制御が達成されるとともに、そのモールド樹脂２５および遠赤外
線放射板１９の温度は、温度表示器３２によって使用者に表示される。
【００３５】
セラミック・ヒータ２１は加熱されると遠赤外線を放射する。遠赤外線放射板１９の表
面に形成されたセタミック層１９ｂも、加熱されると遠赤外線を放射する。セラミック・
ヒータ２１とセラミック層１９ｂとが重ね合わされているので、遠赤外線板１９の表面か
らは多量の遠赤外線が外部に向けて放射される。なお、本実施例１においては、加熱手段
としてセラミック・ヒータを使用したが、この加熱手段は、セラミック・ヒータに限られ
るものではなく、例えばニクロム線によって構成してもよい。
【００３６】
遠赤外線放射板１９はステンレス板であり、その表面にセラミック塗料１９ｂが塗布さ
れたものである。ステンレス板１９ａをプレス等によって形成することができるので、遠
赤外線放射板１９を任意の形状に成形することができる。ステンレス板１９ａを用いるこ
とによって、遠赤外線放射板１９にセラミック単体では形成困難な形状をもたせることが
できる。ステンレス板１９ａは丈夫であるから、遠赤外線を放射する面を大きくしても衝
撃に強く、損壊するおそれが殆どない。
【００３７】
本実施例１においては、遠赤外線放射器本体１０がコントローラ３０とは別体となって
いる。遠赤外線放射器本体１０に温度制御のための回路、機器を設ける必要がないので、
その軽量化を図ることができ、取扱いが容易である。ここでの、接続コード４１（および
電源コード４２）をシリコン・ケーブルとすることにすれば、気温に左右されずに常に軟
らかく取り扱いやすくすることができる。
【００３８】
以上のように構成された本実施例１によれば、遠赤外線放射板１９の表面のセラミック
層１９ｂの温度が、セラミック層１９ｂから放射される遠赤外線の波長の特性がほぼ所謂
「理想黒体」の特性となるセラミック層の温度（７０℃以上）となるように、コントロー
ラ３０の温度表示器３２に表示された温度を見ながらロータリースイッチ３１を調整する
ことにより、７μｍ〜１５μｍの波長の遠赤外線を効率的に人体に放射することができる
。
【００３９】
図４に、セラミック層１９ｂの温度が７９℃になった場合に放射される遠赤外線の波長
の特性（実線）を、理想黒体の特性（破線）とともに示す。
【００４０】
本実施例１においては、遠赤外線放射板１９は突出状に湾曲しているので、遠赤外線を
広範囲に亘って放射させることができる。
【００４１】
このようにして、人体への深達力が高い７μｍ〜１５μｍの波長の遠赤外線を患者に放
射した場合、もしその患者にガン等の異常細胞があるときには、その異常細胞の部位に患
者が痛烈な熱さを感じる（通称「ア・チチ効果」という）ので、その痛烈な熱さを感じた
部位を病院等で精密検査するように患者に促すようにすることによって、本実施例１の使
用者はガン細胞等の早期発見に寄与することができる。
【００４２】
なお、本実施例１は、従来からある温熱治療器としても使用することができる。このよ
うに本実施例１を温熱治療器として用いる場合には、使用者の所望する温度に設定された
遠赤外線放射板１９の突出部分を患部に当てることにより所謂「針」や灸と同様の効果を
得ることができる。
【００４３】
ここで、以上説明した本実施例１においては、遠赤外線放射器本体１０の遠赤外線放射
板１９の温度を正確に表示する温度表示手段が設けられているために、使用者は、温度表
示器３２を見ながらロータリースイッチ３１を操作することにより、遠赤外線放射板１９
が７μｍ〜１５μｍの波長の遠赤外線を効率的に放射する温度に正確に設定することがで
きる。
【００４４】
このように、本実施例１では温度表示手段が設けられているが、この温度表示手段を設
けずに、ロータリースイッチ３１の回転位置と、その位置における遠赤外線放射板１９の
温度が対応するように、コントローラ３０のロータリースイッチ３１の周囲の表面に、温
度の表示をしておくという構成としてもよい。
【００４５】
図５は、本実施例１の作用部１４に装着して使用する遠赤外線放射カバーの構成を示し
た図である。図５（ａ）は上側から見た図であり、図５（ｂ）は下側から見た図である。
【００４６】
この遠赤外線放射カバー８０は、図５（ａ），（ｂ）に示したように、本実施例１の作
用部１４に密着して被せることができる伸縮性を有するカバー部材８１と、このカバー部
材８１の表面にカーボン塗料を塗布して形成されたカーボン塗料層８２とによって構成さ
れている。
【００４７】
遠赤外線放射カバー８０を作用部１４に装着する場合には、図５（ｃ）に示したように
、カーボン塗料層８２が作用部１４の遠赤外線放射板１９の上に位置するように装着する
。ここで、炭素が放射する遠赤外線の波長の特性がほぼ所謂「理想黒体」の特性となる温
度は約５０℃以上であるので、この遠赤外線放射カバー８０を装着した場合には、前述し
た装着しない場合の温度（７０℃以上）に比して低い温度、例えば５０℃でも、７μｍ〜
１５μｍの波長の遠赤外線を効率的に放射させることができる。
【００４８】
図６に、カーボン塗料層８２の温度が６９℃になった場合に放射される遠赤外線の波長
の特性（実線）を、理想黒体の特性（破線）とともに示す。
【００４９】
ここで、図５（ｂ）に示した遠赤外線放射カバー８０においては、カーボン塗料層８２
は小さい四角形の形状に形成され、その小さい四角形の形状のカーボン塗料層８２が遠赤
外線放射板１９の上になる面に複数個配設されているが、このカーボン塗料層８２の形状
は、図５（ｂ）に示した形状に限られるものではなく、隙間なく一面にカーボン塗料層８
２を形成してもよい。さらに、このカーボン塗料層８２に代えて、炭素の粉末を２枚の合
成樹脂フィルムの間に挟んでラミネートして固定化したラミネートカーボン板を遠赤外線
放射板１９の上になる面に固定してもよい。即ち、この遠赤外線放射カバー８０において
は、遠赤外線放射板１９の上になる面にカーボン層が形成されていれば、上述した遠赤外
線放射カバー８０による効果を得ることができる。
【００５０】
なお、以上説明した本実施例１においては、図２に示したように、遠赤外線放射板１９
の表面側に、加熱されると遠赤外線を放射するセラミック層１９ｂが形成されているが、
この遠赤外線放射板１９の表面に配設される材料はセラミックに限られるものではなく、
加熱されると遠赤外線を放射する材料であれば、どのような材料でもよく、例えば、炭素
や遠赤外線放射鉱石であってもよい。
【００５１】
さらに、本実施例１においては、図２に示したように、遠赤外線放射板１９とヒータ２
１とがモールド樹脂２５を用いて一体となっているが、この遠赤外線放射板１９とヒータ
２１の代わりに、炭素系面発熱体を配設してもよい。
【図面の簡単な説明】
【００５２】
【図１】本考案の実施例１の全体構成を示す斜視図である。
【図２】図１に示した実施例１の遠赤外線放射器本体の構成を示す構成図である。
【図３】図１に示した実施例１の電気的構成を示す回路図である。
【図４】本考案の実施例１から放射される遠赤外線の特性図である。
【図５】本考案の実施例１に装着する遠赤外線放射カバーの構成を示す構成図である        。
【図６】図５に示した遠赤外線放射カバーを装着した場合の本考案の実施例１から放        射される遠赤外線の特性図である。
【符号の説明】
【００５３】
１０  遠赤外線放射器本体
１３  把持部
１４  作用部
１９  遠赤外線放射板
１９ａ  ステンレス板
１９ｂ  セラミック層
２０  ヒータ部
２１  セラミック・ヒータ
２２  サーミスタ
２５  モールド樹脂
３０  コントローラ
３１  ロータリースイッチ
３２  温度表示器
４１，４２  接続コード
４３  プラグ
８０  遠赤外線放射カバー
８１  カバー部材
８２  カーボン塗料層
【図１】
0003144979.tif 000003
【図２】
0003144979.tif 000004
【図３】
0003144979.tif 000005
【図４】
0003144979.tif 000006
【図５】
0003144979.tif 000007
【図６】
0003144979.tif 000008